(57)【要約】【課題】遊技者の興味を新しい仕方で向上することのできるパチンコ機を提供する。【解決手段】パチンコ機において、遊技球が流下する遊技領域２に配置される入賞口４０と、入賞口４０からの遊技球を複数の振分口４５〜４９等の何れかへ振分ける円盤部材４３と、振分口４５等のそれぞれにおける遊技球の通過を検知する検知器４５ａ〜４９ａとを含む振分ユニット４を複数設けるとともに、振分ユニット４等の配置に応じて相対的に定められた位置において、振分ユニット４等毎に決定される図柄を表示する表示器４４等を設け、更に、当該図柄の決定を、検知器４５ａ等により検知された最新の通過に係る振分口４５等の種類に基づいて実行するとともに、図柄の集合が同種類のみからなるという所定態様であると、比較的に多数の遊技球の払出が得られる特別遊技状態を生起する主制御基板７０を設ける。【選択図】  図２
2004159928.tif 000002
【特許請求の範囲】
【請求項１】
遊技球が流下する遊技領域に配置される入賞口と、入賞口からの遊技球を複数の振分口の何れかへ振分ける振分装置と、振分口別に遊技球の通過を検知する検知装置とを含む振分ユニットを複数設けるとともに、
振分ユニットの配置に応じて相対的に定められた位置において、振分ユニット毎に決定される図柄を表示する表示装置を設け、
更に、当該図柄の決定を、検知装置により検知された最新の通過に係る振分口の種類に基づいて実行するとともに、図柄の集合が所定態様であると、比較的に多数の遊技球の払出が得られる特別遊技状態を生起する制御装置を設け、
かつ、一部の振分ユニットにおける入賞口への入賞を比較的に困難にするとともに、当該入賞口付近から延長された流下路に、他の振分ユニットにおける入賞口を配置し、
当該一部の入賞口を狙うと、他の入賞口への入賞も比較的に多くなるようにした
ことを特徴とするパチンコ機。
【請求項２】
遊技球が流下する遊技領域に配置される入賞口と、入賞口からの遊技球を複数の振分口の何れかへ振分ける振分装置と、振分口別に遊技球の通過を検知する検知装置とを含む振分ユニットを複数設けるとともに、
振分ユニットの配置に応じて相対的に定められた位置において、振分ユニット毎に決定される図柄を表示する表示装置を設け、
更に、当該図柄の決定を、検知装置により検知された最新の通過に係る振分口の種類に基づいて実行するとともに、図柄の集合が所定態様であると、比較的に多数の遊技球の払出が得られる特別遊技状態を生起する制御装置を設け、
更に、当該図柄の決定を、検知装置により検知された最新の通過に係る振分口の種類に基づいて実行するとともに、図柄の集合が所定態様であると、比較的に多数の遊技球の払出が得られる特別遊技状態を生起する制御装置を設け、
かつ、一部の振分ユニットにおける入賞口への入賞に基づいて開成する開成装置を、他の振分ユニットにおける入賞口に設けたことを特徴とするパチンコ機。
【発明の詳細な説明】
【０００１】
【発明の属する技術分野】
本発明は、パチンコ機に関する。
【０００２】
【従来の技術】
パチンコ機として、遊技球が流下するほぼ円形の遊技領域に、複数の振分口が周設された円盤部材（クルーン）を１個設置し、遊技球が振分口を通過すると当該振分口に対応する図柄を表示装置において表示し、更に遊技球が振分口を通過すると既に表示されている図柄を左にずらして対応する図柄を右に加えて表示し、前々回、前回、そして今回表示された３個の図柄が揃うと、多数の遊技球の払出の得られる特別遊技状態を生起するものが知られている（例えば下記の特許文献１ないし特許文献４参照）。
【０００３】
また、下記の特許文献５に示されるように、遊技領域にクルーンを１個備え、遊技球が振分口を通過すると当該振分口に対応する「権利アイテム」（特別遊技状態となるか否かに直接対応するものではなく「確率変動の権利や時短の権利など」の発生に関わるものである。００１１段落ないし００１５段落、図４等参照）を表示するものも公開されている。
【０００４】
【特許文献１】
特開平１１−３３３０７７号公報
【特許文献２】
特開平１１−３３３０７８号公報
【特許文献３】
特開平１１−３３３０７９号公報
【特許文献４】
特開平１１−３３３０８０号公報
【特許文献５】
特開２０００−４２１９３号公報
【０００５】
【発明が解決しようとする課題】
前者のパチンコ機では、遊技球の振分口通過により２個の図柄が右にずれるので図柄の並びにつき変化に乏しく、しかも結局は１個のクルーンにおいて同じ振分口に３回連続で入賞することのみが当りであって、比較的遊技に幅のないものとなっている。一方、後者のパチンコ機では、特別遊技状態の生起およびこれを示す表示については制御部で内部的に決定されているようであり、パチンコ機にとって重要な特別遊技状態に関し当該表示の面白みを追求することで遊技者の興味向上を図るものとなっている。
【０００６】
請求項１，請求項２に記載の発明は、特別遊技状態の生起ないしこれを示す図柄集合の表示についての決定過程を見せながら、図柄集合に関し多様な変遷を可能とし、更に振分ユニット毎の入賞率やその関連性を調整して、図柄集合の変遷が興味深く、新たな遊技性を現出し、遊技者の興味を新しい仕方で向上することのできるパチンコ機を提供することを目的としたものである。
【０００７】
【課題を解決するための手段】
上記目的を達成するために、請求項１に記載の発明は、遊技球が流下する遊技領域に配置される入賞口と、入賞口からの遊技球を複数の振分口の何れかへ振分ける振分装置と、振分口別に遊技球の通過を検知する検知装置とを含む振分ユニットを複数設けるとともに、振分ユニットの配置に応じて相対的に定められた位置において、振分ユニット毎に決定される図柄を表示する表示装置を設け、更に、当該図柄の決定を、検知装置により検知された最新の通過に係る振分口の種類に基づいて実行するとともに、図柄の集合が所定態様であると、比較的に多数の遊技球の払出が得られる特別遊技状態を生起する制御装置を設け、かつ、一部の振分ユニットにおける入賞口への入賞を比較的に困難にするとともに、当該入賞口付近から延長された流下路に、他の振分ユニットにおける入賞口を配置し、当該一部の入賞口を狙うと、他の入賞口への入賞も比較的に多くなるようにしたことを特徴とするものである。
【０００８】
上記目的を達成するために、請求項２に記載の発明は、遊技球が流下する遊技領域に配置される入賞口と、入賞口からの遊技球を複数の振分口の何れかへ振分ける振分装置と、振分口別に遊技球の通過を検知する検知装置とを含む振分ユニットを複数設けるとともに、振分ユニットの配置に応じて相対的に定められた位置において、振分ユニット毎に決定される図柄を表示する表示装置を設け、更に、当該図柄の決定を、検知装置により検知された最新の通過に係る振分口の種類に基づいて実行するとともに、図柄の集合が所定態様であると、比較的に多数の遊技球の払出が得られる特別遊技状態を生起する制御装置を設け、更に、当該図柄の決定を、検知装置により検知された最新の通過に係る振分口の種類に基づいて実行するとともに、図柄の集合が所定態様であると、比較的に多数の遊技球の払出が得られる特別遊技状態を生起する制御装置を設け、かつ、一部の振分ユニットにおける入賞口への入賞に基づいて開成する開成装置を、他の振分ユニットにおける入賞口に設けたことを特徴とするものである。
【０００９】
なお、特別遊技状態の生起ないしこれを示す図柄集合の表示についての決定過程を見せながら、図柄集合に関し多様な変遷を可能として、遊技者の興味を新しい仕方で向上することのできるパチンコ機を提供する目的を達成するために、本発明は、遊技球が流下する遊技領域に配置される入賞口と、入賞口からの遊技球を複数の振分口の何れかへ振分ける振分装置と、振分口別に遊技球の通過を検知する検知装置とを含む振分ユニットを複数設けるとともに、振分ユニットの配置に応じて相対的に定められた位置において、振分ユニット毎に決定される図柄を表示する表示装置を設け、更に、当該図柄の決定を、検知装置により検知された最新の通過に係る振分口の種類に基づいて実行するとともに、図柄の集合が所定態様であると、比較的に多数の遊技球の払出が得られる特別遊技状態を生起する制御装置を設けたことも特徴とする。
【００１０】
また、本発明は、上記目的に加えて、特別遊技状態の生起決定過程ないし図柄表示を見た目に分り易くまた楽しめるようにする目的を達成するため、上記発明において、表示装置を、対応する図柄の表示部分が振分ユニットに含まれまたは近接するように振分ユニット毎に配置したことも特徴とする。
【００１１】
更に、本発明は、上記目的に加えて、特別遊技状態の生起決定に関わる遊技球の振分を面白いものとする目的を達成するため、上記発明において、振分装置を、振分口の周設された円盤部材としたことも特徴とする。
【００１２】
【発明の実施の形態】
（１）まず、本発明の実施の第１形態に係るパチンコ機について、全体的な外的構成から説明する。
【００１３】
図１は当該パチンコ機１の正面図である。パチンコ機１は、正面上半部に、遊技球が流下する遊技領域２を有している。遊技領域２には、一部図示する釘３，３・・の他、３組の振分ユニット４，５，６が設置されている。また、流下遊技球が集る遊技領域２の下部には、開閉成可能であり、開成時に遊技球の払出につながる入賞を受付ける大入賞口８が配置されている。更に、遊技領域２の下方には、遊技球を載置可能な上皿１０および下皿１２が配置されており、下皿１２の側方には、遊技球の遊技領域２への発射を操作するためのハンドル１４が設けられている。
【００１４】
（２）次に、振分ユニット４〜６およびその周辺における外的構成について説明する。
【００１５】
振分ユニット４は、図２（ａ）に示すように、遊技球の入賞口４０、入賞口４０から下方へ延びる遊技球の導入路４１、導入路４１の下端と連通した空間４２、空間４２内に設置した円盤部材（クルーン）４３を備える。なお、空間４３の前下部には、７セグメントタイプの表示器４４が配置されている。
【００１６】
図２（ｂ）に平面図を示す円盤部材４３は、５個の振分口４５〜４９の周設されたものであり、各振分口４５〜４９の下部に、遊技球の通過により検知信号を発する検知器４５ａ〜４９ａが設置されている。なお、円盤部材４３によって振分装置が構成され、検知器４５ａ〜４９ａによって、振分口４５〜４９毎に遊技球の通過を検知する検知装置が構成される。
【００１７】
そして、振分ユニット５（６）も、同様に入賞口５０（６０）、導入路５１（６１）、空間５２（６２）、円盤部材５３（６３）、表示器５４（６４）、振分口５５〜５９（６５〜６９）、検知器５５ａ〜５９ａ（６５ａ〜６９ａ）を備えている。
【００１８】
（３）続いて、振分ユニット４〜６を含むパチンコ機１の内的構成について説明する。
【００１９】
図３は、パチンコ機１における内的構成の一部を示すブロック図である。パチンコ機１は、全体的な制御を行う主制御基板７０を備えている。主制御基板７０は、振分ユニット４の各検知器４５ａ〜４９ａと、検知信号を受信可能に接続されており、表示器４４とその表示を制御可能に接続されている。なお、振分ユニット５，６に関しても同様である。
【００２０】
更に、主制御基板７０は、大入賞口８からの図示しない遊技球通路に設置される検知器７２とも接続されており、大入賞口８への入賞を検知可能である。また更に、主制御基板７０は、大入賞口８を開閉成するソレノイド７４とも接続されている。加えて、主制御基板７０は、遊技店の島設備からパチンコ機１の上皿１０または下皿１２へ遊技球を払出す払出装置７６とも接続されている。
【００２１】
主制御基板７０は、振分ユニット４の検知器４５ａ〜４９ａから検知信号を受けると、図４に示すように、表示器４４において検知器４５ａ〜４９ａに対応する図柄を表示する。即ち、主制御基板７０は、振分口４５〜４９の遊技球の通過に基づいて、表示器４４における図柄の決定をし、表示をする。
【００２２】
また、主制御基板７０は、振分ユニット５，６に関しても同様に図柄の処理をする。従って、３個の表示器４４〜６４をもって、振分ユニットの配置に応じて定められた位置において図柄を表示する表示装置が構成される。
【００２３】
加えて、主制御基板７０は、検知信号の受信により表示器４４〜６４における図柄の集合が同じ種類の図柄のみを含む態様（同じ３個の図柄からなる当り図柄）となることを把握し、入賞し易く遊技球の払出のある大入賞口８を、所定期間に亘り断続的にソレノイド７４に通電することで、所定期間において断続的に開成する。当該所定期間においては、大入賞口８の開成により、閉成時（通常時）に比較して多数の遊技球の払出を得る可能性が高くなる。よってパチンコ機１は、主制御基板７０により、当該所定期間に亘る特別遊技状態を生起する。
【００２４】
（４）次に、パチンコ機１の動作面について説明する。
【００２５】
パチンコ機１の電源が投入されると、主制御基板７０は初期設定を行う。当該初期設定には、主制御基板７０が表示器４４〜６４において３個の図柄からなる初期図柄を表示することが含まれる。なお、パチンコ機１において、初期図柄は図４にない図柄（振分口４４〜４９に対応付けられた図柄以外の種類の図柄）のみを含むものであり、当り図柄とならない（同種類の図柄のみとなっていない）ものである（例えば「２４６」）。
【００２６】
そして、遊技者によるハンドル１４の操作により発射された遊技球が、遊技領域２を流下し、振分ユニット４（振分ユニット５，６も同様）に係る入賞口４４に入賞すると、導入路４１を介して空間４２に導入され、円盤部材４３の上を揺動した後でまたは直接に何れかの振分口４４〜４９に入る。振分口４４〜４９に入って通過した遊技球は、対応する検知器４５ａ〜４９ａによって検知され、検知信号を発生させる。なお、振分口４４〜４９を通過した遊技球は、島設備の回収に供するために、図示しない遊技球通路によってパチンコ機１の下部裏側に導かれる。
【００２７】
主制御基板７０は、検知器４５ａ〜４９ａの発生した検知信号を受信し、何れの検知器４５ａ〜４９ａが遊技球を検知したか（遊技球が何れの振分口４４〜４９を通過したか）を把握する。そして、主制御基板７０は、検知信号を発した検知器４５ａ〜４９ａの種類（検知信号の発信元）に対応する図柄を表示するように、表示器４４における表示を更新する。
【００２８】
また、主制御基板７０は、図柄表示の更新の前に、表示器４４〜６４における図柄の集合が、当該更新によって、「１１１」「７７７」といった当り図柄となるか否かを判断する。そして当り図柄となる場合には、図柄表示の更新後（当り図柄の表示後）において大入賞口８の断続的開成を所定期間に亘り指令し、特別遊技状態を生起するように準備する。
【００２９】
なお、パチンコ機１では、初期図柄を構成する図柄をもって当り図柄を表示することはなく、従って初期図柄表示状態から遊技を始めても、遊技球を各入賞口４０〜６０へ入賞させ、同じ図柄に対応する振分口４４〜４９，５４〜５９，６４〜６９の通過を勝取り、各表示器４４〜６４において図柄表示の更新を得ることで、当り図柄の表示ないしは特別遊技状態を獲得することができるものとなる。
【００３０】
更に、主制御基板７０は、大入賞口８に係る検知器７２から検知信号を受けると、検知信号の受信毎（大入賞口への１回の入賞毎）に定められた数（例えば１５個）の遊技球を払出すよう、払出装置７６に指令する。よって、特別遊技状態においては、入賞し易い位置の大入賞口８が開成し、入賞毎に１５個等といった比較的多数の遊技球の払出を、上皿１０もしくは下皿１２において受け得る。
【００３１】
また、主制御基板７０は、特別遊技状態に係る所定期間の経過（大入賞口８の所定回数の開成の完了）を判断し、表示器４４〜６４において初期図柄と同じ３個の図柄を表示する。
【００３２】
（５）第１形態のパチンコ機１では、次に示すような効果を奏する。
【００３３】
即ち、パチンコ機１では、遊技球が流下する遊技領域２に配置される入賞口４０（５０，６０）と、入賞口４０等からの遊技球を複数の振分口４５〜４９（５５〜５９，６５〜６９）の何れかへ振分ける円盤部材４３（５３，６３）と、振分口４５等のそれぞれにおける遊技球の通過を検知する検知器４５ａ〜４９ａ（５５ａ〜５９ａ，６５ａ〜６９ａ）とを含む振分ユニット４（５，６）を複数設けるとともに、振分ユニット４〜６の配置に応じて相対的に定められた位置において、振分ユニット４〜６毎に決定される図柄を表示する表示器４４〜６４を設け、更に、当該図柄の決定を、検知器４５ａ等により検知された最新の通過に係る振分口４５等の種類に基づいて実行するとともに、図柄の集合が同種類のみからなるという所定態様であると、比較的に多数の遊技球の払出が得られる特別遊技状態を生起する主制御基板７０を設けたため、特別遊技状態の生起ないしこれを示す図柄の集合の表示についての決定過程を、遊技球の振分口４５〜６９の通過という形で見せ、しかも何れの状態であっても振分ユニット４〜６毎に配された表示器４４〜６４の図柄がそれぞれ変更可能であるというように図柄の集合に関し多様な変遷を可能として、遊技者の興味を新しい仕方で向上することができる。
【００３４】
また、パチンコ機１では、表示器４４〜６４を、対応する図柄の表示部分が振分ユニット４〜６に近接するように当該部分毎に配置したため、遊技球の振分およびこれに対応した図柄の表示が見易いものとすることができ、また特別遊技状態の生起決定過程を見せながら多様な図柄集合の変遷を可能としたコンセプトを体現させて遊技者の興味を喚起するものとすることができる。
【００３５】
更に、パチンコ機１では、振分口４５〜６９の周設された円盤部材４３〜６３をそれぞれ設けたため、振分に際し遊技球が円盤部材４３等の上を回転しあるいは揺動するようにすることができ、何れの振分口４５〜４９等に入るかや遊技球の動き等を楽しんでもらえるものとなる。
【００３６】
（６）次に、本発明の実施の第２形態に係るパチンコ機について、第１形態との相違点を中心に説明する。
【００３７】
図５は当該パチンコ機の遊技領域８２を示す正面図である。遊技領域８２において、入賞口４０〜６０は、上向き三角形の頂点にそれぞれ配置されている（山型配置）。なお、ここでは入賞口５０を上に配置し、入賞口４０を左に、入賞口６０を右に配置している。また、入賞口４０〜６０に対応する振分ユニット４〜６や表示器４４〜６４も配されている。
【００３８】
更に、釘８３が、入賞口５０への入賞を比較的に困難にするように配置されている。なお、入賞口５０に近接され、互いの幅を例えば遊技球直径強程度に狭くされた３本の釘８３ａが、特に入賞口５０への入賞を困難にしている。
【００３９】
加えて、釘８３が、上方の入賞口５０の付近から左下方へ延長される流下路Ａ，Ｂ等を形成しており、流下路Ａ等に、入賞口４０が位置することとなっている。なお、入賞口５０の付近から見て右下方における流下路ないし入賞口６０も、同様に構成されている。
【００４０】
このような遊技領域８２においては、入賞口５０へ左から入賞するように、遊技球の流下路Ｃにおける流下を狙うと、釘８３ａ等によって、流下路Ａ等における流下も発生し、入賞口４０への入賞も比較的多くなる。なお、入賞口５０への右側からの入賞を狙うと、釘８３ａ等によって、入賞口６０への入賞が比較的多くなる。
【００４１】
第２形態のパチンコ機では、振分ユニット５における入賞口５０への入賞を釘８３によって比較的に困難にするとともに、入賞口５０付近から延長された流下路Ａ等に、振分ユニット４，６における入賞口４０，６０を配置し、入賞口５０を狙うと、入賞口４０，６０への入賞も比較的に多くなるようになっているため、表示器４４，６４における図柄を揃え、表示器５４の図柄も揃えようとして入賞口５０への入賞を狙い、入賞口４０，６０へ入賞してしまって図柄の揃いが崩れる危険性を超えて図柄が揃い、当り図柄を獲得する、といったような楽しみを現出することができ、換言すれば特別遊技状態の決定過程を見せるものであり、かつ図柄の変更可能性に付随性を持たせることにより図柄が揃う一歩手前で揃え難く、揃ったときの達成感が興味深いものとなるパチンコ機を提供することができる。
【００４２】
（７）続いて、本発明の実施の第３形態に係るパチンコ機について、第１形態との相違点を中心に説明する。
【００４３】
図６は当該パチンコ機の遊技領域９２を示す正面図である。遊技領域９２において、入賞口４０〜６０は、横向き三角形の頂点にそれぞれ配置されている。なお、ここでは入賞口４０を上に、入賞口６０を下に、入賞口５０を右に配置している。また、入賞口４０〜６０に対応する振分ユニット４〜６や表示器４４〜６４も配されている。
【００４４】
更に、入賞口６０には、入賞口４０への入賞に基づいて開成する開成装置（チューリップ）９４が付設されており、入賞口５０には、入賞口６０への入賞に基づいて開成する開成装置（チューリップ）９６が付設されている。なお、釘９３ａが、開成装置９４閉成時に入賞口６０への入賞を不可能とするため、開成装置９４の上方近傍に配されており、釘９３ｂが、開成装置９６閉成時に入賞口５０への入賞を不可能とするため、開成装置９６の上方近傍に配されている。
【００４５】
また、各導入路４１，６１には、図示しない遊技球の検知器が設置されており、主制御基板７０と接続されている。主制御基板７０は、当該検知器からの検知信号により入賞口４０，６０への入賞を把握する。一方、開成装置９４，９６には図示しないソレノイドが設置されていて、主制御基板７０は当該ソレノイドに通電することにより開成装置９４，９６を開成可能であり、通電しないことにより閉成可能である。主制御基板７０は、入賞口４０，６０への入賞を把握すると、対応する開成装置９４，９６を開成する。なお、ここでは開成装置９４，９６を所定回に亘り断続的に開成する。
【００４６】
このような遊技領域９２においては、入賞口４０への入賞を得ないと入賞口６０への入賞が得られない。また、入賞口６０への入賞を得ないと入賞口５０への入賞が得られない。従って遊技者は、入賞口４０，６０，５０を順番に狙いながら、各円盤部材４３〜６３での振分により当り図柄を獲得しようとする。
【００４７】
第３形態のパチンコ機では、振分ユニット４，６における入賞口４０，６０への入賞に基づいて開成する開成装置９４，９６を、振分ユニット６，５における入賞口６０，５０に設けたため、表示器４４の図柄の更新を顧みず入賞口４０への入賞により入賞口６０を開成し、表示器６４の図柄の更新を顧みず入賞口６０への入賞により入賞口５０を開成し、入賞口５０等への入賞をもって表示器４４〜６４の図柄を揃えて特別遊技状態の生起を得るといった、開成装置９４，９６と振分との組合せによる興味深い遊技を提供することができる。
【００４８】
（８）更に、本発明の実施の第４形態に係るパチンコ機について、第１形態との相違点を中心に説明する。
【００４９】
図７は当該パチンコ機の遊技領域１０２を示す正面図である。遊技領域１０２において、入賞口４０〜６０は、上向き三角形の頂点にそれぞれ配置されている。なお、ここでは入賞口５０を上に、入賞口４０を左に、入賞口５０を右に配置している。また、入賞口４０〜６０に対応する振分ユニット４〜６や表示器４４〜６４も配されている。
【００５０】
更に、入賞口５０には、入賞口４０，６０への入賞に基づいて開成する開成装置１０４が付設されている。なお、開成装置１０４の１入賞における開成回数は、入賞口４０について１回、入賞口６０について２回に設定されている。また、釘１０３ａが、開成装置１０４閉成時に入賞口６０への入賞を不可能とするため、開成装置１０４の上方近傍に配されている。
【００５１】
加えて、各導入路４１，６１には、図示しない遊技球の検知器が設置されており、主制御基板７０と接続されている。主制御基板７０は、当該検知器からの検知信号により入賞口４０，６０への入賞を把握する。一方、開成装置１０４には図示しないソレノイドが設置されていて、主制御基板７０は当該ソレノイドに通電することにより開成装置１０４を開成可能であり、通電しないことにより閉成可能である。主制御基板７０は、入賞口４０，６０への入賞を把握すると、対応する開成装置１０４を開成する。なお、ここでは開成装置１０４を上記所定回数だけ開成する。
【００５２】
このような遊技領域９２においては、入賞口４０，６０への入賞を得ないと入賞口５０への入賞が得られない。従って遊技者は、入賞口４０，６０を狙いながら、各円盤部材４３〜６３での振分により当り図柄を獲得しようとする。
【００５３】
第４形態のパチンコ機では、振分ユニット４，６における入賞口４０，６０への入賞に基づいて開成する開成装置１０４を、振分ユニット５における入賞口５０に設けたため、表示器４４，６４の図柄の更新を顧みず入賞口４０，６０への入賞により入賞口５０を開成し、入賞口５０等への入賞をもって表示器４４〜６４の図柄を揃えて特別遊技状態の生起を得るといった、開成装置１０４と振分との組合せによる興味深い遊技を提供することができる。
【００５４】
（９）なお、主に上記形態を変更してなる、本発明の他の形態を例示する。
【００５５】
図柄として麻雀牌といった他の記号を採用する。図柄ないし振分ユニットの数を、２個あるいは４個以上とする。当り図柄（特別遊技状態の生起と対応する図柄の集合）を、特定の順序における異なる種類の図柄の集合とする。上記形態において、一部の振分ユニットに係る振分口に対応する図柄を「２，４，６，７，８」とするというように、振分ユニットによって図柄の種類を相違させる。または振分ユニットに係る振分口に対応する図柄を「３，５，７，７，７」とするというように、異なる振分口に同一の種類の図柄を対応付ける。あるいは、初期図柄を振分口に対応させた図柄とする。または、初期図柄と特別遊技状態後の図柄集合とを相違させる。これらによって、図柄表示の雰囲気あるいは図柄集合の変遷を変化させることができ、表示態様に関し様々な種類のパチンコ機を提供することができる。
【００５６】
入賞口を山型配置した場合に、図柄を、左右の順序は変えないで横一直線に配置したり、入賞口を横三角形状に配置した場合に、図柄を、上下の順序を左右の順序として横一直線配置したりする等、振分ユニットの配置と図柄配置とを、対応付け可能な範囲で相違させる。この場合も、振分ユニットの配置に応じて図柄の配置が相対的に定まり、振分と図柄表示とを関連付けて楽しめるし、表示パターンを更なる増加を図ることもできる。
【００５７】
上記形態において２個の図柄が揃うとき等のように図柄の一部が当り図柄を構成するものとなった場合（特にあと１個揃うと当り図柄となる場合）、図柄あるいは揃った図柄を特殊態様（例えば点滅）で表示し、または主制御装置等により電飾ないし発音を特殊態様（例えば激しい点滅ないし特殊音楽の発音）にする。これにより、図柄の集合が当り図柄となりそうな表示（リーチ表示）を盛り上げることができ、当該状況を遊技者に楽しんでもらうことができる。
【００５８】
表示装置を、ドット表示器等とする。また、表示装置を、振分ユニット毎の表示器として設けず、複数の図柄を表示可能な単一または複数のディスプレイとして設ける。これらによっても、図柄表示の雰囲気等を変化することができる。また、特に後者にあっては、主制御基板における処理を変えず、ディスプレイのみを変えて、図柄表示をまとめて変化させることができる。
【００５９】
入賞口を単一の遊技球通路の分岐口とし、あるいは飾り部材の付設したものとする。振分装置を円盤部材とせず、空間内における個別あるいは共通の入賞口等とする。または釘や役物等で囲った部分を空間とし、釘等の間を比較的狭く空けた部分を入賞口とし、空間内に振分口を配する。これらによれば、入賞口ないし振分口における遊技球の流下態様を変化させることができ、流下態様に関し様々な種類のパチンコ機を提供することができる。
【００６０】
主制御基板を制御（機能）毎に複数の基板または素子に分割し、あるいは表示装置に主制御基板と同等の基板を搭載する。これらにより、上記形態と同様の制御を分散して行う制御装置を構成することができる。また、検知装置につき、検知孔を複数備えた検知器を採用する。これにより、検知器の数が減少して取扱い易くなる。更に、特別遊技状態として、入賞に基づき大入賞口を開成させる権利入賞口を制御装置により開成するもの等を採用することができる。この場合にも遊技者は比較的に多数の遊技球の払出を得ることが可能である。
【００６１】
各種開成態様につき、１回のみ開成するものや、長時間開成するもの、開成回数ないし制御装置の抽選により開成時間の変化するもの、あるいは閉成時にも比較的に困難ではあるが入賞が可能であるもの等とする。また、入賞可能性の調整を、風車やステージまたは釘を含めこれらの組合せ等で行う。または、振分ユニットに係る入賞口に付設された開成装置を開成させる専用の開成入賞口を独立して設ける。これらによっても、流下態様に関し様々な種類のパチンコ機を提供することができる。
【００６２】
【発明の効果】
本発明によれば、遊技球が通過した振分口の種類に応じて表示される図柄の集合をもって特別遊技状態か否かを制御することで、特別遊技状態の生起ないしこれを示す図柄集合の表示についての決定過程を見せながら、図柄集合に関し多様な変遷を可能として、遊技者の興味を新しい仕方で向上することができる、という効果を奏する。
【図面の簡単な説明】
【図１】本発明の第１形態に係るパチンコ機の正面図である。
【図２】図１のパチンコ機における（ａ）振分ユニットを示す正面図、（ｂ）円盤部材および検知器を示す平面図である。
【図３】図１のパチンコ機における内部機構の一部を示すブロック図である。
【図４】図１のパチンコ機における振分ユニット毎の振分口に係る検知器の種類と、当該検知器からの検知信号を受けた場合に表示する図柄の種類との対応を示す表である。
【図５】本発明の第２形態に係るパチンコ機の遊技領域についての模式図である。
【図６】本発明の第３形態に係るパチンコ機の遊技領域についての模式図である。
【図７】本発明の第４形態に係るパチンコ機の遊技領域についての模式図である。
【符号の説明】
１・・パチンコ機、２，８２，９２，１０２・・遊技領域、３，８３，８３ａ，９３，９３ａ，９３ｂ，１０３，１０３ａ・・釘、４，５，６・・振分ユニット、８・・大入賞口、４０，５０，６０・・入賞口、４１，５１，６１・・導入路、４２，５２，６２・・空間、４３，５３，６３・・円盤部材、４４，５４，６４・・表示器、４５〜４９，５５〜５９，６５〜６９・・振分口、４５ａ〜４９ａ，５５ａ〜５９ａ，６５ａ〜６９ａ・・検知器、７０・・主制御基板、７２・・検知器、７４・・ソレノイド、７６・・払出装置、９４，９６，１０４・・開成装置、Ａ，Ｂ，Ｃ・・流下路。
【図１】
2004159928.tif 000003
【図２】
2004159928.tif 000004
【図３】
2004159928.tif 000005
【図４】
2004159928.tif 000006
【図５】
2004159928.tif 000007
【図６】
2004159928.tif 000008
【図７】
2004159928.tif 000009